(57)【特許請求の範囲】
【請求項１】
真空ステーションに向かって下り勾配の本管が接続される真空式下水道システムの配管構造であって、
前記本管の下流端近傍を分岐して形成され、設定した水頭圧が作用すると排水を流すバイパス管を備えることを特徴とする真空式下水道システムの配管構造。
【請求項２】
前記バイパス管には、設定した水頭圧が作用すると開弁するリリーフ弁が配置されることを特徴とする請求項１に記載の真空式下水道システムの配管構造。
【請求項３】
前記本管を分岐した複数の枝管と、前記枝管に接続される真空弁を有する真空弁ユニットと、をさらに備え、前記設定した水頭圧として、前記本管に貯留された排水の水頭圧によって前記真空弁が開弁して逆流する状態よりも小さい水頭圧を設定することを特徴とする請求項１又は請求項２に記載の真空式下水道システムの配管構造。
【請求項４】
前記バイパス管には、前記本管と前記リリーフ弁との間に仕切弁が設置されることを特徴とする請求項１乃至請求項３のいずれか一項に記載の真空式下水道システムの配管構造。
【請求項５】
請求項１乃至請求項４のいずれか一項に記載の配管構造を備え、
前記真空ステーションには、前記本管から流入した排水を貯留する集水タンクと、前記集水タンク内の空気を排出する真空ポンプと、が設置されており、
前記真空ステーションが停電になった場合に、前記真空ポンプの前記集水タンクに近い側を封止する真空ポンプ分離弁を備えることを特徴とする真空式下水道システム。
【請求項６】
前記集水タンク内の排水が所定水位となった場合又は前記真空ステーションが停電になった場合に、前記本管の前記バイパス管を分岐した箇所より下流側を封止する集水タンク分離弁を備えることを特徴とする請求項５に記載の真空式下水道システム。
【請求項７】
前記本管の下流端近傍に、自然流下した前記排水の水勢を抑制する減勢工を設置することを特徴とする請求項５又は請求項６に記載の真空式下水道システム。
【発明の詳細な説明】
【技術分野】
【０００１】
本発明は、真空式下水道システムの配管構造及び真空式下水道システムに関するものである。
【背景技術】
【０００２】
近年、自然流下式の下水道システムに代えて、排水を真空圧によって収集する真空式下水道システムの採用が増加している。
【０００３】
真空式下水道システムでは、住居や工場などから排出される排水は、真空弁ユニットに溜められ、所定量だけ貯留されると、真空圧によって空気とともに気液混送流として真空管路を通って真空ステーションまで搬送される。
【０００４】
このような真空式下水道システムとして、例えば特許文献１には、集水タンク内の水位の上昇率に基づいて圧送ポンプや真空ポンプの動作を制御するポンプ制御装置が開示されている。この構成によれば、真空ステーション近くのリフト部から多量の排水が一気に集水タンクに流入して排水が溢れることを防止できる。
【０００５】
また、山岳地帯などの傾斜面に真空管路を敷設する場合、リフト部がなく下り勾配の続く本管と、リフト部がある枝管と、によって真空管路を構成することで、真空圧を効率よく利用する真空式下水道システムが用いられる。
【０００６】
このように本管に下り勾配が続く場合、排水は本管内を自然流下して集水タンクまで到達する。そして、集水タンクに貯留された排水は、圧送ポンプによってさらに下流側に圧送される。
【先行技術文献】
【特許文献】
【０００７】
【特許文献１】特開２０００−１１０２２５号公報
【発明の概要】
【発明が解決しようとする課題】
【０００８】
しかしながら、本管が下り勾配になっている真空式下水道システムでは、真空ステーションが停電したり圧送ポンプが故障したりする非常時には、集水タンク内に排水が自然流下しつづけて溢れる可能性がある。
【０００９】
そして、集水タンクから溢れた排水は、真空管路を通じて枝管に流入し、枝管内の水頭圧によって真空弁を開いて逆流する可能性がある。
【００１０】
そこで、本発明は、非常時に排水の逆流を防止できる真空式下水道システムの配管構造と、この配管構造を備えた真空式下水道システムを提供することを目的としている。
【課題を解決するための手段】
【００１１】
前記目的を達成するために、本発明の配管構造は、真空ステーションに向かって下り勾配の本管が接続される真空式下水道システムの配管構造であって、前記本管の下流端近傍を分岐して形成され、設定した水頭圧が作用すると排水を流すバイパス管を備えることを特徴とする。
【００１２】
また、前記バイパス管には、設定した水頭圧が作用すると開弁するリリーフ弁が配置される構成にできる。
【００１３】
さらに、前記本管を分岐した複数の枝管と、前記枝管に接続される真空弁を有する真空弁ユニットと、をさらに備え、前記設定した水頭圧として、前記本管に貯留された排水の水頭圧によって前記真空弁が開弁して逆流する状態よりも小さい水頭圧を設定する構成にできる。
【００１４】
また、前記バイパス管には、前記本管と前記リリーフ弁との間に仕切弁が設置される構成にできる。
【００１５】
そして、本発明の真空式下水道システムは、上記したいずれかの配管構造を備え、前記真空ステーションには、前記本管から流入した排水を貯留する集水タンクと、前記集水タンク内の空気を排出する真空ポンプと、が設置されており、前記真空ステーションが停電になった場合に、前記真空ポンプの前記集水タンクに近い側を封止する真空ポンプ分離弁を備えることを特徴とする。
【００１６】
また、前記集水タンク内の排水が所定水位となった場合又は前記真空ステーションが停電になった場合に、前記本管の前記バイパス管を分岐した箇所より下流側を封止する集水タンク分離弁を備える構成にできる。
【００１７】
さらに、前記本管の下流端近傍に、自然流下した前記排水の水勢を抑制する減勢工を設置する構成にできる。
【発明の効果】
【００１８】
このように、本発明の配管構造は、真空ステーションに向かって下り勾配の本管が接続される真空式下水道システムの配管構造であって、本管の下流端近傍を分岐して形成され、設定した水頭圧が作用すると排水を流すバイパス管を備えることを特徴とする。
【００１９】
このため、設定した水頭圧が作用するとバイパス管に排水が流れることで、集水タンクから排水が溢れても、水頭圧によって真空弁を開いて逆流することがなくなる。
【００２０】
また、バイパス管には、設定した水頭圧が作用すると開弁するリリーフ弁が配置されることで、常時においてバイパス管から空気を吸い込むことがなくなるため、真空圧を排水の収集のために有効に利用できる。
【００２１】
さらに、本管を分岐した複数の枝管と、枝管に接続される真空弁を有する真空弁ユニットと、をさらに備え、設定した水頭圧として、本管に貯留された排水の水頭圧によって真空弁が開弁して逆流する状態よりも小さい水頭圧を設定することで、真空弁が開弁して逆流することを確実に防止できる。
【００２２】
また、バイパス管には、本管とリリーフ弁との間に仕切弁が設置されることで、リリーフ弁を交換したり修理したりする場合に、容易にリリーフ弁を取外すことができる。
【００２３】
そして、本発明の真空式下水道システムは、上記したいずれかの配管構造を備え、真空ステーションには、本管から流入した排水を貯留する集水タンクと、集水タンク内の空気を排出する真空ポンプと、が設置されており、真空ステーションが停電になった場合に、真空ポンプの集水タンクに近い側を封止する真空ポンプ分離弁を備えることを特徴とする。
【００２４】
このため、真空ステーションが停電になった場合でも、真空ポンプに排水が取り込まれなくなることで、真空ポンプが故障することを防止できる。
【００２５】
また、集水タンク内の排水が所定水位となった場合又は真空ステーションが停電になった場合に、本管のバイパス管を分岐した箇所より下流側を封止する集水タンク分離弁を備えることで、集水タンク内の排水が所定水位となった場合又は真空ステーションが停電になった場合でも、集水タンク内に排水が流れ込まなくなることで、真空ステーション全体を保護することができる。
【００２６】
さらに、本管の下流端近傍に、自然流下した排水の水勢を抑制する減勢工を設置することで、速度が速いため射流となった排水の流速を遅くして、常流として集水タンクに取り込むことができる。
【図面の簡単な説明】
【００２７】
【図１】実施例の真空式下水道システムの配管構造の構成を説明する説明図である。
【図２】実施例の真空式下水道システム全体の構成を説明する説明図である。
【図３】実施例の真空式下水道システムの常時における作用を説明する説明図である。
【図４】実施例の真空式下水道システムの非常時における作用を説明する説明図である。
【発明を実施するための形態】
【００２８】
以下、本発明の実施の形態について図面を参照して説明する。
【実施例１】
【００２９】
まず、図２を用いて本発明の配管構造１を備える真空式下水道システムＳの全体構成を説明する。
【００３０】
本実施例の真空式下水道システムＳでは、図２の全体図に示すように、丘陵や山岳地の家庭９１や工場（不図示）などから排出された排水は、自然流下管路９２を通じて真空弁ユニット２に流入する。
【００３１】
つづいて、この真空弁ユニット２に流入した排水は、真空弁ユニット２に一時的に貯留され、真空ステーション３で発生された真空圧（大気圧よりも低くなった圧力）によって、流下部８２ａとリフト部８２ｂとを有する枝管８２の内部を気液混送流となって本管８１まで搬送される。
【００３２】
本管８１に流入した排水は、本管８１内を真空圧によらずに重力によって自然流下して、真空ステーション３の集水タンク３１に流れ込んで貯留される。
【００３３】
このような構成の真空式下水道システムＳは、真空圧と大気圧との差圧によって汚水を強制的に収集・搬送するシステムであり、真空下水管路の埋設深度が浅い、埋設物の回避が容易である、真空弁ユニット２に電源が不要である、汚水の漏れがない、管路の清掃が不要である、スカムが発生しにくい、などの特徴を備えている。
【００３４】
また、真空式下水道システムＳの真空弁ユニット２は、図示しないが、汚水を受容して一時的に貯留する貯留槽、貯留槽内の液位の変動を検知する水位検知管、開閉作動することで一定量溜まった排水を圧送する真空弁、水位検知管内の液位変動に伴って生じる圧力変動によって真空弁を開閉する真空弁コントローラ、などを備えて地中に埋設されている。
【００３５】
さらに、本実施例の真空式下水道システムＳは、真空管路全体として、従来のような放射状配管ではなく、ツリー状配管を形成している。すなわち、真空式下水道システムＳは、幹となる本管８１と、幹を途中で分岐させた枝となる複数の枝管８２，・・・と、を備えている。
【００３６】
この本管８１は、合成樹脂によって長尺円筒状に形成されるもので、複数の枝管８２が接続されるため枝管８２よりも内径が大きく、その長さも枝管８２より長く形成されている。
【００３７】
また、本実施例の本管８１は、図示のように傾斜した山肌に沿うようにして直線状に敷設されていることで、その軸方向も傾斜しているため、いったん流入した排水は途中でほとんど貯留されることなく一気に自然流下する。
【００３８】
そして、本管８１の下り勾配の末端（下端）には真空ステーション３が接続されている。このため、本管８１の内部では、枝管８２から流れ込んだ排水は、本管８１の内面に沿って重力によって自然流下して、射流となって真空ステーション３に到達する。
【００３９】
なお、この本管８１には、途中に減勢のためのリフト部、貯留部、平坦部などが設けられていてもよく、本管８１が全体として、枝管８２から流れ込んだ排水が真空圧によらずに真空ステーション３まで到達するように形成されていれば本発明を適用できる。
【００４０】
また、枝管８２は、合成樹脂によって長尺円筒状に形成されるもので、本管８１よりも内径が小さくされており、１つの本管８１に対して枝状に複数接続されている。
【００４１】
そして、枝管８２は、一般に真空式下水道システムＳに採用される真空管路と同じように、真空ステーション３に近い側に向かって下り勾配の流下部８２ａと、真空ステーション３に近い側に向かって上り勾配のリフト部８２ｂと、を備えている。
【００４２】
このため、真空弁ユニット２から枝管８２に流れ込んだ排水は、リフト部８２ｂの手前で一旦堰き止められ、真空圧によって気液混送流となってリフト部８２ｂを乗り越え、その後流下部８２ａを自然流下して次のリフト部８２ｂまで到達する。
【００４３】
そして、本実施例の真空ポンプ方式の真空ステーション３は、図１に示すように、本管８１から流入した排水を貯留する集水タンク３１と、集水タンク３１内の上部の空気を吸引することで真空圧を発生する２つの真空ポンプ３２，３２と、集水タンク３１内に貯留された排水を下流側に圧送する圧送ポンプ３３と、集水タンク３１内の水位を計測する水位計３４と、真空ポンプ３２，３２の排気を脱臭する脱臭装置３５（図２参照）と、真空ポンプ３２，３２と圧送ポンプ３３とを制御する制御装置３６と、を備えている。
【００４４】
制御装置３６は、ＣＰＵやメモリなどを有する汎用のマイクロコンピュータであり、常時には、集水タンク３１内の空気部分の真空圧が一定となるように真空ポンプ３２，３２を作動させるとともに、水位計３４によって計測された水位が一定水位になると圧送ポンプ３３を作動させる。
【００４５】
また、この制御装置３６は、バッテリなどの非常用の電源を備えており、後述するように、非常時には、集水タンク分離弁６２と真空ポンプ分離弁６３を閉じる。
【００４６】
さらに、本実施例の真空ステーション３は、停電したり圧送ポンプ３３が故障したりする非常時に備えて、集水タンク３１を保護する集水タンク分離弁６２と、真空ポンプ３２を保護する真空ポンプ分離弁６３，６３と、を備えている。
【００４７】
この集水タンク分離弁６２は、非常時に集水タンク３１に排水が流入することを防止する弁であり、バイパス管４を分岐した箇所よりも下流側、かつ、集水タンク３１の上流側（真空ポンプ３２から遠い側）の配管に設置される。
【００４８】
また、真空ポンプ分離弁６３は、非常時に真空ポンプ３２が排水を吸い込むことを防止する弁であり、真空ポンプ３２より上流側（集水タンク３１に貯留された排水側）のエア吸込管に設置される。
【００４９】
この他、真空ステーション３は、排水の逆流を防止する逆止弁７１，７３、射流となった排水の流速を落として常流にする減勢工７２，７４なども備えている。
【００５０】
なお、真空ステーション３として、上記した真空ポンプ方式ではなく、貯留槽内の排水を下流に流すために圧送ポンプを用いるタイプのエジェクタ方式（ＥＪ型）にも本発明を適用できる。
【００５１】
そして、本実施例の真空式下水道システムＳは、上記した基本系統とは別系統として、本管８１の下流端近傍を分岐して形成されるバイパス管４と、バイパス管４の途中に配置されるリリーフ弁５と、を有する配管構造１が形成されている。
【００５２】
このバイパス管４は、本管８１の下流端近傍を分岐して形成され、本管８１と真空ステーション３の下流側とを短絡的に接続する管路である。そして、このバイパス管４には、所定の水位となって設定した水頭圧が作用すると、排水が流れるようになる。
【００５３】
また、リリーフ弁５は、上記した真空弁ユニット２の真空弁２１と同様に、バネ反力によって弁体を弁座に押し当てて止水する構造となっている。したがって、弁体を押し開ける程度の水頭圧が作用すれば開弁するため、電気を用いることなく、停電時にも有効に作動する。ただし、このリリーフ弁５のバネ反力は、水頭圧が作用した場合に確実に開弁するように、一般的な真空弁２１のバネ反力よりも弱く調整されている。
【００５４】
また、リリーフ弁５が開弁するときの設定した水頭圧（クラッキング圧）としては、本管８１に貯留された排水の水頭圧によって、いずれかの真空弁２１が開弁して建物側に逆流する状態よりも小さい水頭圧を設定する。
【００５５】
例えば、設定した水頭圧として、最も下流側（真空ステーション３に近い側）の枝管８２に配置された真空弁ユニット２のうち、最も下流側に配置された真空弁ユニット２の真空弁２１が開弁する状態での水頭圧を、所定の安全率で除すことで計算できる。
【００５６】
加えて、このリリーフ弁５には、非常時から復旧したときなどに、夾雑物が詰まって、弁体と弁座の隙間から空気を吸い込むことを防止するために、弁が完全に閉じたことを検知する監視手段を設置することが好ましい。
【００５７】
さらに、バイパス管４には、本管８１とリリーフ弁５との間に仕切弁６１が設置されている。この仕切弁６１は、リリーフ弁５を取外して修理したり、清掃したりする際に閉じられる。
【００５８】
また、仕切弁６１は、リリーフ弁５が隙間なく完全に閉弁していなくて真空圧を浪費してしまうような真空圧異常時が検知されると、自動的に閉弁するように構成することができる。
【００５９】
そして、この仕切弁６１とリリーフ弁５とは、バイパス管４の途中に設置した同一のマンホール内に収容することが好ましい。
【００６０】
次に、本実施例の真空式下水道システムＳの配管構造１の作用について、図３，４を用いて説明する。なお、家庭９１から本管８１に到達するまでの排水の詳細な流れは、すでに説明したものと同様であるから説明は省略する。
【００６１】
まず、図３を用いて、真空式下水道システムＳの常時における動作について説明する。
【００６２】
常時には、制御装置３６は、集水タンク分離弁６２及び真空ポンプ分離弁６３を開弁する一方で、リリーフ弁５を閉弁する。なお、仕切弁６１は開いている。
【００６３】
常時において、排水は、真空ポンプ３２で発生された真空圧と大気圧との差圧によって、枝管８２のリフト部８２ｂを逐次超えていき、本管８１まで到達する。
【００６４】
そして、いったん本管８１に流入した排水は、本管８１内を重力により速度を増しながら流下し、開いている集水タンク分離弁６２を通過し、逆止弁７１を通過し、射流となって減勢工７２に流れ込む。
【００６５】
減勢工７２に射流状態で流れ込んだ排水は、減勢工７２内で跳水して常流となった後、集水タンク３１に流れ込んで貯留される。その後、貯留された排水は、圧送ポンプ３３によって吸い上げられ、逆止弁７３を通過し、減勢工７４に流れ込み、下流に位置する下水本管に流れ込む。
【００６６】
つづいて、図４を用いて、真空式下水道システムＳの非常時における動作について説明する。ここでは、非常時として、真空ステーション３が停電した場合を想定する。
【００６７】
非常時には、停電したことを検知した制御装置３６は、非常用の電源を使って、集水タンク分離弁６２及び真空ポンプ分離弁６３を閉弁する一方で、リリーフ弁５を開弁する。なお、仕切弁６１は開いている。
【００６８】
また、非常時において、真空ポンプ３２は停電によって停止しているものの、本管８１内部や枝管８２内部に残留した真空圧によって、排水は枝管８２のリフト部８２ｂを逐次超えていき、本管８１まで到達する。
【００６９】
そして、いったん本管８１に流入した排水は、本管８１内を重力により速度を増しながら流下するが、本管８１の末端において閉じている集水タンク分離弁６２で堰き止められる。
【００７０】
堰き止められた排水は、本管８１内に下流側から少しずつ貯留されていき、下流端より少し上流側で分岐されたバイパス管４内に流入する。また、本管８１内に下流側から貯留された排水は、最下流の枝管８２内にも流入（逆流）する。
【００７１】
したがって、バイパス管４内に流入した排水は、開いている仕切弁６１を通過してリリーフ弁５まで到達し、リリーフ弁５の弁体に水頭圧を作用させる。同様に、枝管８２内に流入（逆流）した排水も、真空弁２１の弁体に水頭圧を作用させる。
【００７２】
そして、リリーフ弁５に設定した水頭圧が作用するようになれば、水頭圧によってリリーフ弁５の弁体が押し開けられて、バイパス管４内を排水が流れるようになる。ここで、設定した水頭圧が作用する状態では、真空弁２１が開くことはないため、排水が真空弁ユニット２を逆流することはない。
【００７３】
そして、水頭圧を受けて射流となった排水は、開いているリリーフ弁５を通過し、減勢工７４内で跳水して常流となって、真空ステーション３より下流側へ流入する。
【００７４】
その後、停電が解消して真空ステーション３が復旧すると、制御装置３６は真空ポンプ３２を作動させて真空圧を発生させ、集水タンク分離弁６２及び真空ポンプ分離弁６３を開弁し、リリーフ弁５を閉弁する。
【００７５】
次に、本実施例の配管構造１の効果を列挙して説明する。
【００７６】
（１）このように、本実施例の配管構造１は、真空ステーション３に向かって下り勾配の本管８１が接続される真空式下水道システムＳの配管構造１であって、本管８１の下流端近傍を分岐して形成され、本管８１の下流端近傍において設定した水頭圧が作用すると排水を流すバイパス管４を備えることを特徴とする。
【００７７】
このため、設定した水頭圧が作用するとバイパス管４に排水が流れることで、非常時に集水タンク３１から排水が溢れても、水頭圧によって真空弁２１を開いて逆流することがない。
【００７８】
つまり、本実施例のように傾斜した本管８１を有する真空管路では、本管８１と枝管８２を合計した内部空間が広くなり、内部空間全体が一定の真空圧に保持されることとなる。
【００７９】
したがって、真空ステーション３が故障しても、しばらくの間は真空圧によって排水を吸い込みつづけることとなる。そうすると、密閉状態の本管８１や枝管８２に下流側から排水が貯留されていき、最終的には真空弁２１から排水が逆流する可能性がある。
【００８０】
そこで、本管８１や枝管８２に排水が貯留されて一定の水頭圧が作用すると、真空ステーション３を迂回するようにして排水を流すバイパス管４を設置することで、逆流を防止できる。
【００８１】
（２）また、バイパス管４には、設定した水頭圧が作用すると開弁するリリーフ弁５が配置されることで、常時においてバイパス管４から空気を吸い込むことがなくなるため、真空圧を排水の収集のために有効に利用できる。
【００８２】
つまり、非常時だけを考慮するとバイパス管４にはリリーフ弁５がなくてもよいが、常時のことを考慮すると真空圧を逃がさないようにリリーフ弁５を設けることが好ましい。
【００８３】
（３）さらに、本管８１を分岐した複数の枝管８２，・・・と、枝管８２に接続される真空弁２１を有する真空弁ユニット２と、をさらに備え、設定した水頭圧として、本管８１に貯留された排水の水頭圧によって真空弁２１が開弁して逆流する状態よりも小さい水頭圧を設定することで、真空弁２１が開弁して逆流することを確実に防止できる。
【００８４】
（４）また、バイパス管４には、本管８１とリリーフ弁５との間に仕切弁６１が設置されることで、リリーフ弁５を交換したり修理したりする場合に、容易にリリーフ弁５を取外すことができる。
【００８５】
加えて、リリーフ弁５と仕切弁６１とを同一のマンホールに収容すれば、設置スペースを有効活用できるうえ、メンテナンス時の作業が容易になる。
【００８６】
（５）そして、本実施例の真空式下水道システムＳは、上記したいずれかの配管構造１を備え、真空ステーション３には、本管８１から流入した排水を貯留する集水タンク３１と、集水タンク３１内の空気を排出する真空ポンプ３２と、が設置されており、真空ステーション３が停電になった場合に、真空ポンプ３２の集水タンク３１に近い側を封止する真空ポンプ分離弁６３を備えることを特徴とする。
【００８７】
このため、真空ステーション３が停電になった場合でも、真空ポンプ３２に排水が取り込まれなくなることで、真空ポンプ３２が故障することを防止できる。
【００８８】
（６）また、集水タンク３１内の排水が所定水位となった場合又は真空ステーション３が停電になった場合に、本管８１のバイパス管４を分岐した箇所より下流側を封止する集水タンク分離弁６２を備えることで、集水タンク３１内の排水が所定水位となった場合又は真空ステーション３が停電になった場合でも、集水タンク３１内に排水が流れ込まなくなることで、真空ステーション３全体を保護することができる。
【００８９】
（７）さらに、本管８１の下流端近傍に、自然流下した排水の水勢を抑制する減勢工７２を設置することで、速度が速いため射流となった排水の流速を跳水により遅くして、常流として集水タンク３１に取り込むことができる。
【００９０】
このため、勢いよく集水タンク３１に流入した排水によって、集水タンク３１内に貯留された排水が跳ねて真空ポンプ３２が排水を吸い込むことを防止できる。
【００９１】
以上、図面を参照して、本発明の実施例を詳述してきたが、具体的な構成は、この実施例に限らず、本発明の要旨を逸脱しない程度の設計的変更は、本発明に含まれる。
【００９２】
例えば、前記実施例では、リリーフ弁５として、従来から用いている真空弁２１を改良して用いる場合について説明したが、これに限定されるものではなく、真空圧に耐えうる弁体やプランジャーなどの隔離弁を有し、圧力変動に呼応して開閉可能な弁類や、同等の機能を有する機器を用いることができる。
【００９３】
また、前記実施例では、非常時として真空ステーション３が停電した場合について説明したが、これに限定されるものではなく、圧送ポンプ３３の故障などで集水タンク３１内の排水が所定水位となった場合にも、本発明を適用できる。
【００９４】
さらに、前記実施例では、仕切弁６１は制御装置３６の命令によって動作する場合について説明したが、これに限定されるものではなく、仕切弁６１として通電状態（常時）で閉の電磁ソレノイド弁を用いれば、制御装置３６の命令によらずに停電時のバイパス制御を実現できる。
【００９５】
同様に、前記実施例では、集水タンク分離弁６２及び真空ポンプ分離弁６３は制御装置３６の命令によって動作する場合について説明したが、これに限定されるものではなく、集水タンク分離弁６２及び真空ポンプ分離弁６３として通電状態（常時）で開の電磁ソレノイド弁を用いれば、制御装置３６の命令によらずに停電時の分離制御を実現できる。
【符号の説明】
【００９６】
Ｓ          真空式下水道システム
１          配管構造
２          真空弁ユニット
２１        真空弁
３          真空ステーション
３１        集水タンク
３２        真空ポンプ
３３        圧送ポンプ
３４        水位計
３６        制御装置
４          バイパス管
５          リリーフ弁
６１        仕切弁
６２        集水タンク分離弁
６３        真空ポンプ分離弁
７２，７４  減勢工
８１        本管
８２        枝管
８２ａ      流下部
８２ｂ      リフト部
【図１】
0005492663.tif 000002
【図２】
0005492663.tif 000003
【図３】
0005492663.tif 000004
【図４】
0005492663.tif 000005